(57)【要約】【課題】講演者が手元の書込み型情報表示パネルで手書き書込みした情報を、多数の聴講者が一度に見られるように拡大表示ができる手書き書込み情報の大画面表示システムを提供する。【解決手段】書込み型情報表示パネルとこのパネルより大きい大型画面の表示専用情報表示用パネルとを備え、書き込み型情報表示パネルの表示単位と表示専用情報表示パネルの表示単位とを対応させた状態で、書込み型情報表示パネルと表示専用情報表示パネルとを接続し、使用者が手元の書込み型情報表示パネルで手書き書込みした情報を、大型画面の表示専用情報表示パネルに拡大表示するよう構成した。【選択図】図１
2009162877.tif 000002
【特許請求の範囲】
【請求項１】
書込み型情報表示パネルとこのパネルより大きい大型画面の表示専用情報表示用パネルとを備え、書き込み型情報表示パネルの表示単位と表示専用情報表示パネルの表示単位とを対応させた状態で、書込み型情報表示パネルと表示専用情報表示パネルとを接続し、使用者が手元の書込み型情報表示パネルで手書き書込みした情報を、大型画面の表示専用情報表示パネルに拡大表示するよう構成したことを特徴とする手書き書込み情報の大画面表示システム。
【請求項２】
前記書込み型情報表示パネルと表示専用情報表示パネルとの接続が微弱電波を用いた無線によって行えるようにしたことを特徴とする請求項１に記載の手書き書込み情報の大画面表示システム。
【請求項３】
書込み型情報表示パネルの表示領域形状と表示専用情報表示パネルの表示領域形状とを同じとし、各表示領域の横／縦アスペクト比を２／１〜３／１とすることを特徴とする請求項１または２に記載の手書き書込み情報の大画面表示システム。
【請求項４】
書込み型情報表示パネルが、パネル上の位置座標を検出するための位置座標検出手段を備え、パネル上のペン型書込み器の位置を検出し、その位置に対向する書込み型情報表示パネルの表示単位および表示専用情報表示パネルの表示単位を駆動させ、双方に同じ情報を表示することを特徴とする請求項１〜３のいずれか１項に記載の手書き書込み情報の大画面表示システム。
【請求項５】
ペン型書込み器のペン先エッジが丸みを持つことを特徴とする請求項４に記載の手書き書込み情報の大画面表示システム。
【請求項６】
表示専用情報表示パネルを、複数の小型表示パネルの電極部を接続して組み合わせて構成することを特徴とする請求項１〜５のいずれか１項に記載の手書き書込み情報の大画面表示システム。
【請求項７】
書込み型情報表示パネルおよび表示専用情報表示パネルが、少なくとも一方が透明である２枚の対向する基板間に、隔壁により互いに隔離されたセルを形成し、セル内に粒子群で構成した表示媒体を封入する構造を有することを特徴とする請求項１〜６のいずれか１項に記載の手書き書込み情報の大画面表示システム。
【発明の詳細な説明】
【技術分野】
【０００１】
本発明は、位置座標検出装置付き書き込み型情報表示パネルに表示した画面を、別の大画面に拡大表示する手書き書込み情報の大画面表示システムに関する。
【背景技術】
【０００２】
従来、手元の大画面に表示させた情報を、無線、有線等で接続された別の小画面に表示することができる画像表示システムが提案されている（例えば、特許文献１参照）。上記従来の画像表示システムは黒板やホワイトボードを大画面とし、この大画面を表示手段と位置座標検出手段とを有する書き込み型の表示パネルとして構成し、大画面に表示させた画像と同じ画像を、別の小画面（複数）に、ケーブルや無線等のデータ送信手段を用いて表示させるもので、比較的少人数での会議やプレゼンテーション等で用いるものであった。
【０００３】
【特許文献１】特開２００２−１９６７３９号公報
【発明の開示】
【発明が解決しようとする課題】
【０００４】
上述した従来の画像表示システムでは、大画面といっても会議進行係やプレゼンテイターが手書き書き込みできる大きさに限定されるため、十数人程度で行う会議であれば大画面に表示された画像（特に文字画像）を直接認識可能に見ることができるが、数十人以上の聴講者を前にした講演会や学校の授業、大学講座等では、この程度の大画面に表示された画像（特に文字画像）では、聴講者全員が直接認識可能に見ることはできない問題があった。
【０００５】
また、数十人以上の聴講者を前にした講演会等でも、小画面の表示器をすべての聴講者に提供すれば上記問題は解決されるが、大画面からすべての小画面表示器に画像情報を送って表示させるためには大掛かりなケーブル配線や強力な電波を用いた無線送受信システムの併設が必要となり、制約も多く設備面でコスト高となる問題があった。
【０００６】
本発明の目的は上述した問題点を解消して、例えば講演者が手元の書込み型情報表示パネルで手書き書込みした情報を、多数の聴講者が一度に見られるように拡大表示ができる手書き書込み情報の大画面表示システムを提供しようとするものである。
【課題を解決するための手段】
【０００７】
本発明の手書き書込み情報の大画面表示システムは、書込み型情報表示パネルとこのパネルより大きい大型画面の表示専用情報表示用パネルとを備え、書き込み型情報表示パネルの表示単位と表示専用情報表示パネルの表示単位とを対応させた状態で、書込み型情報表示パネルと表示専用情報表示パネルとを接続し、使用者が手元の書込み型情報表示パネルで手書き書込みした情報を、大型画面の表示専用情報表示パネルに拡大表示するよう構成したことを特徴とするものである。
【０００８】
また、本発明の手書き書込み情報の大画面表示システムの好適例は、書込み型情報表示パネルと表示専用情報表示パネルとの接続が微弱電波を用いた無線によって行えるようにしたこと、書込み型情報表示パネルの表示領域形状と表示専用情報表示パネルの表示領域形状とを同じとし、各表示領域の横／縦アスペクト比を２／１〜３／１とすること、書込み型情報表示パネルが、パネル上の位置座標を検出するための位置座標検出手段を備え、パネル上のペン型書込み器の位置を検出し、その位置に対向する書込み型情報表示パネルの表示単位および表示専用情報表示パネルの表示単位を駆動させ、双方に同じ情報を表示すること、ペン型書込み器のペン先エッジが丸みを持つこと、表示専用情報表示パネルを、複数の小型表示パネルの電極部を接続して組み合わせて構成すること、書込み型情報表示パネルおよび表示専用情報表示パネルが、少なくとも一方が透明である２枚の対向する基板間に、隔壁により互いに隔離されたセルを形成し、セル内に粒子群で構成した表示媒体を封入する構造を有すること、がある。
【発明の効果】
【０００９】
本発明によれば、書込み型情報表示パネルとこのパネルより大きい大型画面の表示専用情報表示用パネルとを備え、書き込み型情報表示パネルの表示単位と表示専用情報表示パネルの表示単位とを対応させた状態で、書込み型情報表示パネルと表示専用情報表示パネルとを接続し、使用者が手元の書込み型情報表示パネルで手書き書込みした情報を、大型画面の表示専用情報表示パネルに拡大表示するよう構成したことで、例えば講演者が手元の書込み型情報表示パネルで手書き書込みした情報を、多数の聴講者が一度に見られるように拡大表示ができる手書き書込み情報の大画面表示システムを得ることができる。
【００１０】
具体的には、数十人以上の聴講者を前にした講演会や学校の授業、大学講座等で、講演者が手書きした情報（板書）を、聴講者全員が直接認識できる大画面に表示できるようになる。また、手元の書き込み型情報表示パネル（小画面）は講演者が手書きするのに適したサイズとなり、手で持ち歩くこともでき、聴講者が見る大画面は、教室や講堂のような設置場所に合せて横／縦アスペクト比を設定して、見やすいものとすることができる。さらに、ケーブル配線や無線送受信システムの設置は、１つの小画面（書き込み型情報表示パネル）と、１つの大画面（表示専用情報表示パネル）との間だけでよいため短いケーブル配線ですむことや、接続に無線を用いる際でも短い距離での送受信ですむために微弱電波による無線通信ですむことから、低コストで数十人以上の聴講者を前にした講演会等に適したシステムを提供できる。
【発明を実施するための最良の形態】
【００１１】
＜システム全体の説明について＞
本発明の手書き書込み情報の大画面表示システムでは、講演者が手元の書き込み型情報表示パネル（小画面）で手書き書込みした情報を、超大型画面の情報表示パネルに映し出し（表示させ）、これを聴講者が見ることができるようにした大画面表示システムとした。手元の書き込み型情報表示パネル（小画面）の表示単位（画素）と表示専用情報表示パネル（大画面）の表示単位（画素）とを対応させる。手元の書き込み型情報表示パネル（小画面）の表示領域形状と、表示専用情報表示パネル（大画面）の表示領域形状とを同じとする。教室や講堂のような設置場所に合せた形状としては、横／縦アスペクト比が、２／１〜３／１が好ましい。手元の書き込み型情報表示パネル（小画面）のサイズは縦が２００ｍｍ〜３００ｍｍ程度で横が４００ｍｍ〜１０００ｍｍ程度が好ましいが、講演者が片手で持てるサイズとしては、縦が１５０ｍｍ程度で横が３００ｍｍ程度が好ましい。講演者が書き込み型情報表示パネルを手に持って、大画面の前を歩きながら聴講者に説明することもできる。
【００１２】
図１は本発明の手書き書込み情報の大画面表示システムの一例を説明するための図である。図１に示す例において、本発明の手書き書込み情報の大画面情報システムは、書込み型情報表示パネル１と、このパネル１より大きい大型画面の表示専用情報表示パネル２とを、表示用データ伝達手段３を介して接続することで構成されている。書込み型情報表示パネル１に対し、例えば講演者は、ペン型書き込み器４により手書き書込みをすることができる。表示用データ伝達手段３としては、ケーブル接続または無線通信接続を好適に用いることができる。
【００１３】
図１に示す例では、ペン型書込み器４の機能を「書込み」にして、講演者が文字画像を書込み型情報表示パネル１に書き込む様子を示している。本例では、書込み型情報表示パネル１の画面に書き込まれた文字画像が表示された直後に、表示専用情報表示パネル２にも同じ文字画像が拡大されて大きく表示される。拡大比率は、両表示パネル１、２に設けられた表示単位（１ドット（画素））の大きさの比率で決まる。
【００１４】
図２（ａ）、（ｂ）はそれぞれ本発明の手書き書込み情報の大画面表示システムにおける各パネルの表示単位の一例を示す図であり、図２（ａ）に書込み型情報表示パネル１における表示単位としての画素５を示し、図２（ｂ）に表示専用情報表示パネル２における表示単位としての画素５を示している。図２（ａ）に示す書込み型情報表示パネル１の画面サイズは３００ｍｍ×９０ｍｍであり、表示専用情報表示パネル２の画面サイズは１０ｍ×３ｍである。なお、図２（ａ）、（ｂ）に示す例では、説明を分かりやすくするために、実際よりも画素数は少なくしている。本例では、書込み型情報表示パネル１の画素５と表示専用情報表示用パネル２の画素５とを対応させて表示を行っている。
【００１５】
図３は本発明の手書き書込み情報の大画面表示システムの他の例を説明するための図である。図３に示す例においても、図１に示す例と同様に、本発明の手書き書込み情報の大画面情報システムは、書込み型情報表示パネル１と、このパネル１より大きい大型画面の表示専用情報表示パネル２とを、表示用データ伝達手段３を介して接続することで構成されている。図３に示す例では、ペン型書込み器４の機能を「消しゴム」にして、表示した文字画像を消去している様子を示している。本例では、書込み型情報表示パネル１の画面に表示された内容が消去されるた直後に、表示専用情報表示パネル２にこれまで表示されていた内容が消失される。
【００１６】
図４は本発明の手書き書込み情報の大画面表示システムのさらに他の例を説明するための図である。図４に示す例においても、図１に示す例と同様に、本発明の手書き書込み情報の大画面情報システムは、書込み型情報表示パネル１と、このパネル１より大きい大型画面の表示専用情報表示パネル２とを、表示用データ伝達手段３を介して接続することで構成されている。図４に示す例では、書込み型情報表示パネル１に設けた画像消去スイッチ（図示せず）を作動させて、表示していた画像を消去する様子を示している。本例では、画像消去スイッチと連動した表示専用情報表示用パネル２の画像消去スイッチ（図示せず）が作動して、表示専用情報表示パネル２に表示されていた画像も消去される。
【００１７】
＜本発明のシステムで用いる情報表示パネルの説明＞
次に、本発明のシステムで用いる情報表示パネルの一例である帯電粒子移動方式の情報表示パネルの基本的な構成について説明する。以下に説明する情報表示パネルは、本発明のシステムにおける書込み型情報表示パネル１おおび表示専用情報表示パネル２のいずれにも好適に用いることができる。本発明のシステムで用いる情報表示パネルでは、対向する２枚の基板間に封入した帯電性粒子を含んだ粒子群として構成した表示媒体に電界が付与される。付与された電界方向にそって、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１８】
本発明のシステムで用いる粒子群を表示媒体とする情報表示パネルの例を、図５〜図８に基づき説明する。ここでは、帯電性粒子を含んだ粒子群を表示媒体として対向電極間に形成させた電界で表示媒体を移動させて画像をドットマトリックス表示をする例を示している。
【００１９】
図５に示す例では、光学的反射率と帯電性を有する粒子を含む粒子群として構成される、互いに光学的反射率および帯電特性の異なる少なくとも２種類の表示媒体（ここでは白色表示媒体用粒子の粒子群からなる白色表示媒体１３Ｗと黒色表示媒体用粒子の粒子群からなる黒色表示媒体１３Ｂを示す）を、少なくとも一方が透明な基板１１、１２間に封入し、隔壁１４で形成された各セル１７において、基板１１に設けた電極１５（ライン電極）と基板１２に設けた電極１６（ライン電極）との間に電圧を印加することにより発生する電界に応じて、基板１１、１２と垂直に移動させる。そして、図５に示すように白色表示媒体１３Ｗを観察者に視認させて白色ドット表示を行うか、あるいは、その逆に黒色表示媒体１３Ｂを観察者に視認させて黒色ドット表示を行っている。ここでは、セルと対向対電極を構成する画素（ドット）とを対応させているが、この位置は対応させなくてもよい。
【００２０】
図６に示す例では、光学的反射率と帯電性とを有する粒子を含む粒子群として構成される、互いに光学的反射率および帯電特性が異なる少なくとも２種類の表示媒体（ここでは白色表示媒体用粒子の粒子群からなる白色表示媒体１３Ｗと黒色表示媒体用粒子の粒子群からなる黒色表示媒体１３Ｂを示す）を、少なくとも一方が透明な基板１１、１２間に封入し、隔壁１４で形成された各セル１７において、基板１１に設けた電極１５（個別電極）と基板１２に設けた電極１６（個別電極）との間に電圧を印加することにより発生する電界に応じて、基板１１、１２と垂直に移動させる。そして、図６に示すように白色表示媒体１３Ｗを観察者に視認させて白色ドット表示を行うか、あるいは、その逆に黒色表示媒体１３Ｂを観察者に視認させて黒色ドット表示を行っている。ここでは、セルと対向対電極を構成する画素（ドット）とを対応させているが、この位置は対応させなくてもよい。
【００２１】
なお、図５および図６に示す例ではセル１７内は気体空間とした例を示したが、セル１７内を絶縁液体空間とすることもできる。
【００２２】
図７および図８に示す例では、それぞれ、互いに帯電極性が異なる帯電性粒子を含んだ粒子群として構成した白色表示媒体１３Ｗと黒色表示媒体１３Ｂとを、絶縁液体１８とともにマイクロカプセル１９に封入し、電界で表示媒体を移動させて画像をドットマトリックス表示している。図７に示す例は図５に示すライン電極を用いた例に対応し、図８に示す例は図６に示す個別電極を用いた例に対応し、図７および図８に示す例とも、表示媒体による画像のドット表示の動作は図５および図６に示す例と同様である。
【００２３】
上述した情報表示パネルにおける好適例について、以下にまとめて説明する。
【００２４】
情報表示パネルの表示部は、表示媒体１３を一方が透明な２枚の基板１１、１２間空間に封止した構成のドットマトリックス表示方式で構成する。基板間空間には隔壁１４を設けて空間を複数の小部屋（セル）１７に仕切り、表示媒体１３をセル１７内に配置するのが好ましい。これにより封入した帯電性粒子（表示媒体）が偏ることを防止できる。帯電性粒子（表示媒体）をマイクロカプセル１９に封止した場合には、このマイクロカプセルがセル（小部屋）の機能を有するので、さらにセル（小部屋）を設けなくても良い。
【００２５】
情報表示パネルとしては、帯電粒子を気体中空間で電界駆動する方式（例えば、電子粉流体方式）や、帯電粒子を絶縁液体中で電界駆動する方式（例えば、電気泳動方式、マイクロカプセル型電気泳動方式）や、半分ずつ帯電極性および色が異なる部分で構成した球状帯電粒子を絶縁液体とともにマイクロカプセル中で駆動（回転）する回転ボール方式、コレステリック液晶駆動方式、有機ＥＬ方式、無機ＥＬ方式、エレクトロクロミック方式のほか従来の液晶駆動方式が適用できる。特に、表示メモリー（ｂｉｓｔａｂｌｅ）性を有する帯電粒子駆動方式、コレステリック液晶駆動方式のものは表示書き換え時に電力消費するが、一度表示させた画像は電力供給を止めてもそのまま維持され省電力化が図れるため好ましい。
【００２６】
観察側基板１２に設ける電極１６は透明なものを用いるが、背面側基板１１に設ける対応電極１５は透明でなくてもよい。透明電極等の透明導電部材とする透明導電材料としては、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の透明導電金属酸化物類、ポリアニリン、ポリピロール、ポリチオフェン等が挙げられる。透明であることを要しない導電材料としては、銅、アルミニウム、銀、ニッケル、金、クロム、およびこれらを主成分とする合金（例えば、Ｎｄ-Ｃｒ）等の金属が挙げられ、前記透明導電材料として挙げたものも含めて背面側基板に配置することができる。
【００２７】
電極等の導電部材形成方法としては、上記例示の材料をスパッタリング法、真空蒸着法、ＣＶＤ（化学蒸着）法、塗布法等で薄膜状に形成する方法や金属箔（例えば、圧延銅箔）をラミネートする方法、導電剤を溶媒や合成樹脂バインダーに混合して塗布したりする方法などが用いられる。パターン形成可能で導電性である上記材料を好適に用いることができる。透明導電材料で形成する導電部材や電極の厚みは、導電性が確保でき光透過性に支障がなければ良く、０．０１〜１０μｍ、好ましくは０．０５〜５μｍである。また、金属材料で形成する電極の厚みも、導電性が確保できれば良く、０．０１〜１０μｍ、好ましくは０．０５〜５μｍである。０．０１μｍよりも薄いと電気抵抗が大きくなり、電極配線においては電圧降下の不都合が発生したり、消費電力が大きくなる不都合が発生したりするので好ましくない。
【００２８】
＜書込み型情報表示パネルの説明＞
本発明のシステムで用いる書込み型情報表示パネルは、位置座標検出手段が搭載され、ペン型書き込み器の位置を検出し、その位置に対応する書き込み型情報表示パネルの表示単位（画素）および表示専用情報表示パネルの表示単位（画素）を駆動させ、双方に同じ画像（情報）を表示する。書き込み型情報表示パネルの位置座標検出手段によって検出されたペン型書き込み器の位置は、書き込み型情報表示パネル内ではペン型書き込み器と連携して書き込み型情報表示パネルの駆動装置側に直接伝達され、表示専用情報表示パネルの駆動装置側には、ケーブル配線（有線）または送受信（無線）によって伝達される。情報の書込み表示は専用のペン型書込み器によって行う。ペン先エッジは丸みを持たせておくとパネル基板上を接触させながらペンを移動する際に滑らかに移動できるので好ましい。
【００２９】
図９（ａ）、（ｂ）はそれぞれ本発明の手書き書込み情報の大画面表示システムにおける書込み型情報表示パネルの一例を説明するための図である。図９（ａ）、（ｂ）に示す例では、パネルの表示面側の透明基板１２上に、透明な位置座標検出手段２１を配置した例を示す。透明な位置座標検出手段２１としては、透明抵抗膜からなるタッチパネルを好適に用いることができる。また、図１０（ａ）、（ｂ）はそれぞれ本発明の手書き書込み情報の大画面表示システムにおける書込み型情報表示パネルの他の例を説明するための図である。図１０（ａ）、（ｂ）に示す例では、パネルの背面側の基板１１上に、透明を要しない位置座標検出手段２１を配置した例を示す。位置座標検出手段２１としては、透明であることを必要としないため、電磁授受方式のタッチパネルを好適に用いることができる。
【００３０】
図９（ａ）、（ｂ）および図１０（ａ）、（ｂ）に示す例は、いずれの場合も、ペン型書き込み器４で触れた表示用パネルの位置を、位置座標検出手段２１が書換え位置として検知して、その位置の表示単位電極（画素電極）に電気信号を付与して表示媒体を駆動させている（表示が変わる）。上図ではペン型書き込み器４で触れた位置の表示単位（ドット）で表示状態が変化した様子を模式的に示している。
【００３１】
位置座標検出手段２１としては、電磁授受方式タッチパネル、抵抗膜方式タッチパネル、超音波表面弾性波方式タッチパネル、アナログ容量結合方式タッチパネル等のタッチパネル方式が用いられる。
【００３２】
本発明のシステムでは、ペン型書き込み器４で触れた表示用パネルの位置を、位置座標検出手段２１が書換え位置として検知したデータを、表示専用情報表示パネル側対応位置データとして伝達し、表示専用情報表示パネル側対応位置の表示単位電極（画素電極）に電気信号を付与して表示媒体を駆動させ、表示専用情報表示パネルの表示も書き換える。
【００３３】
＜表示専用情報表示パネルの説明＞
表示専用情報表示パネル２（大画面）は、複数の小型表示パネルの電極部を、接続して組み合わせて構成する。小型表示パネルサイズは、生産性に優れた好ましいサイズを自由に設計できるが、組み合わせて完成する表示専用情報表示パネル（大画面）の画素数および画素配置を、書き込み型情報表示パネルの画素数および画素配置と同じになるようにする。
【００３４】
図１１は本発明の手書き書込み情報の大画面表示システムにおける表示専用情報表示パネルの一例を説明するための図である。図１１に示す例では、４つの小型表示パネル３１−１〜３１−４において、上側基板１２に設けられたライン電極１６の各々を、可とう性のある導電材料３２−１〜３２−ｎにより行方向に電気的に接続するとともに、下側基板１１に設けられたライン電極１５の各々を、可とう性のある導電材料３３−１〜３３−ｎにより列方向に電気的に接続することで、大型の表示専用情報表示パネル２を構成している。なお、表示専用情報表示パネル２の画素数、画素配置は、書込み型情報表示パネル１と合わせている。また、図１１では、ライン電極を対向直交交差させて形成した画素を用いるドットマトリックス・パッシブ駆動方式としたが、画素に対応する個別電極を対向ドットマトリックス配置してアクティブ駆動方式としてもよい。
【産業上の利用可能性】
【００３５】
本発明の手書き書込み情報の大画面表示システムは、手元の書き込み型情報表示パネルで手書き書込みした情報を、無線、有線等で接続された別の大画面（別の情報表示パネル）に表示することができる電子情報表示システムや、講演者が手元の書き込み型情報表示パネルで手書き書込みした情報を、聴講者が手元の画面で見れるようにしたり、前方の大表示画面（黒板、ホワイトボード代替となるもの）で見れるようにしたりした講義システムに適用できる。
【図面の簡単な説明】
【００３６】
【図１】本発明の手書き書込み情報の大画面表示システムの一例を説明するための図である。
【図２】（ａ）、（ｂ）はそれぞれ本発明の手書き書込み情報の大画面表示システムにおける各パネルの表示単位の一例を示す図である。
【図３】本発明の手書き書込み情報の大画面表示システムの他の例を説明するための図である。
【図４】本発明の手書き書込み情報の大画面表示システムのさらに他の例を説明するための図である。
【図５】本発明のシステムで用いる情報表示パネルの一例を説明するための図である。
【図６】本発明のシステムで用いる情報表示パネルの他の例を説明するための図である。
【図７】本発明のシステムで用いる情報表示パネルのさらに他の例を説明するための図である。
【図８】本発明のシステムで用いる情報表示パネルのさらに他の例を説明するための図である。
【図９】（ａ）、（ｂ）はそれぞれ本発明の手書き書込み情報の大画面表示システムにおける書込み型情報表示パネルの一例を説明するための図である。
【図１０】（ａ）、（ｂ）はそれぞれ本発明の手書き書込み情報の大画面表示システムにおける書込み型情報表示パネルの他の例を説明するための図である。
【図１１】本発明の手書き書込み情報の大画面表示システムにおける表示専用情報表示パネルの一例を説明するための図である。
【符号の説明】
【００３７】
１  書込み型情報表示パネル
２  表示専用情報表示パネル
３  表示用データ伝達手段
４  ペン型書込み器
５  画素
１１、１２  基板
１３  表示媒体（粒子群）
１３Ｗ  白色表示媒体
１３Ｂ  黒色表示媒体
１４  隔壁
１５、１６  電極
１７  セル
１８  絶縁液体
１９  マイクロカプセル
２１  位置座標検出手段
３１−１〜３１−４  小型表示パネル
３２−１〜３２−ｎ  可とう性導電材料
３３−１〜３３−ｎ  可とう性導電材料
【図１】
2009162877.tif 000003
【図２】
2009162877.tif 000004
【図３】
2009162877.tif 000005
【図４】
2009162877.tif 000006
【図５】
2009162877.tif 000007
【図６】
2009162877.tif 000008
【図７】
2009162877.tif 000009
【図８】
2009162877.tif 000010
【図９】
2009162877.tif 000011
【図１０】
2009162877.tif 000012
【図１１】
2009162877.tif 000013